(57)【要約】【課題】消火栓装置を監視員通路内に埋め込むようにして設置した場合において、消火ホースの取り出しに支障が生ずることなく迅速な消火活動ができる消火栓装置を得る。【解決手段】本発明の消火栓装置１は、前面が開口し、ホースバケット収納部３を有する本体５と、ホースバケット収納部３に収納されたホースバケット７と、本体５の前面に設けられた前面パネル９と、前面パネル９に設けられた前傾式扉１１と、前傾式扉１１に設けられて消火ノズル３９を着脱可能に固定するノズル固定部４５とを備え、前面パネル９は前面側に傾動して解放可能に構成されると共に、前面パネル９が本体５の前記開口を閉鎖した状態の保持と該保持の解除をするパネル開閉レバー３３と、前面パネル９の傾動状態を保持する傾動状態保持機構３５を有し、ホースバケット７は、本体５の奥行き方向移動可能に設置され、前面パネル９の解放時に本体５の前面側に移動可能に構成されている。【選択図】  図１
2018187015.tif 000002
【特許請求の範囲】
【請求項１】
前面が開口し、ホースバケット収納部を有する本体と、前記ホースバケット収納部に収納されたホースバケットと、前記本体の前面に設けられた前面パネルと、該前面パネルに設けられた消火栓扉と、該消火栓扉又は前記前面パネルの背面側、又は前記本体内に設けられて消火ノズルを着脱可能に固定するノズル固定部とを備え、
前記前面パネルは、その下辺を支点として前方に傾動して解放可能に構成されると共に、前記前面パネルが前記本体の前記開口を閉鎖した状態を保持し、かつ該保持を解除可能に設けられた前面パネル保持機構と、前記前面パネルが傾動した状態を保持する傾動状態保持機構を有し、
前記ホースバケットは、前記ホースバケット収納部に前記本体の奥行き方向移動可能に設置され、前記前面パネルが解放されたときに前記本体の前面側に移動可能に構成されていることを特徴とする消火栓装置。
【請求項２】
前記前面パネルの傾動動作に連動して前記ホースバケットが前面側に移動するように構成したことを特徴とする請求項１記載の消火栓装置。
【請求項３】
前記前面パネルの傾動時に前記ホースバケットを前面側に引っ張って移動させる牽引手段を備えたことを特徴とする請求項２に記載の消火栓装置。
【請求項４】
前記ホースバケットを前面側に付勢する付勢手段と、前記前面パネルが前記開口を閉鎖している状態では前記ホースバケットの前面側への移動を規制し、前記前面パネルが傾動したときに前記ホースバケットの前面側への移動の規制を解除する移動規制手段とを備えたことを特徴とする請求項２に記載の消火栓装置。
【請求項５】
前記傾動状態保持機構は、一端側が前記本体に固定され、他端側が前記前面パネルに固定された、紐、鎖、又はリンク部材からなることを特徴とする請求項１乃至４のいずれか一項に記載の消火栓装置。
【発明の詳細な説明】
【技術分野】
【０００１】
本発明は、トンネル等に設置される消火栓装置に関する。
【背景技術】
【０００２】
トンネル内に消火栓装置を設置する場合、例えば特許文献１の図３に示されているように、監視員通路上の壁に箱抜き加工を行い、前記壁に埋め込むように設置されるのが一般的である。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監視員通路内に埋め込むことが考えられ、このような態様のものとして特許文献２に開示されたトンネル用消火栓装置がある。
【０００４】
特許文献２に開示のものは、「トンネル側壁の路肩に沿って所定の高さに構築された監視員通路を備えたトンネルに設置されるトンネル用消火栓装置に於いて、前記監視員通路の路面側の側壁を装置前面として監視員通路の下部の空間に本体を収納したことを特徴とするトンネル用消火栓装置。」（特許文献２の請求項１参照）である。
【先行技術文献】
【特許文献】
【０００５】
【特許文献１】特開２０１４−２１７６４６号公報
【特許文献２】特開２００１−９０５３号公報
【発明の概要】
【発明が解決しようとする課題】
【０００６】
特許文献２に開示のものは、本体内に引き出し可能に設けたトレイにホースリールや消火器を収納し、前記トレイを前面側に引き出すようにしている。そのため、消火栓装置の前面側にはトレイを引き出すための空間が必要となる。
しかしながら、消火栓装置を監視員通路内に埋め込んだ場合、消火栓装置の前面側は、車道に近く、事故車等が消火栓装置の前面側にあることも考えられ、消火栓装置の前面にはほとんど空間がないことも考えられる。そのため、消火活動を迅速に行えないことが想定される。
【０００７】
本発明はかかる課題を解決するためになされたものであり、消火栓装置を監視員通路内に埋め込むようにして設置した場合において、消火ホースの取り出しに支障が生ずることなく迅速な消火活動ができる消火栓装置を得ることを目的としている。
【課題を解決するための手段】
【０００８】
（１）本発明に係る消火栓装置は、前面が開口し、ホースバケット収納部を有する本体と、前記ホースバケット収納部３に収納されたホースバケットと、前記本体の前面に設けられた前面パネルと、該前面パネルに設けられた消火栓扉と、該消火栓扉又は前記前面パネルの背面側、又は前記本体内に設けられて消火ノズルを着脱可能に固定するノズル固定部とを備え、
前記前面パネルは、その下辺を支点として前方に傾動して解放可能に構成されると共に、前記前面パネルが前記本体の前記開口を閉鎖した状態を保持し、かつ該保持を解除可能に設けられた前面パネル保持機構と、前記前面パネルが傾動した状態を保持する傾動状態保持機構を有し、
前記ホースバケットは、前記ホースバケット収納部に前記本体の奥行き方向移動可能に設置され、前記前面パネルが解放されたときに前記本体の前面側に移動可能に構成されていることを特徴とするものである。
【０００９】
（２）また、上記（１）に記載のものにおいて、前記前面パネルの傾動動作に連動して前記ホースバケットが前面側に移動するように構成したことを特徴とするものである。
【００１０】
（３）また、上記（２）に記載のものにおいて、前記前面パネルの傾動時に前記ホースバケットを前面側に引っ張って移動させる牽引手段を備えたことを特徴とするものである。
【００１１】
（４）また、上記（２）に記載のものにおいて、前記ホースバケットを前面側に付勢する付勢手段と、前記前面パネルが前記開口を閉鎖している状態では前記ホースバケットの前面側への移動を規制し、前記前面パネルが傾動したときに前記ホースバケットの前面側への移動の規制を解除する移動規制手段とを備えたことを特徴とするものである。
【００１２】
（５）また、上記（１）乃至（４）のいずれかに記載のものにおいて、前記傾動状態保持機構は、一端側が前記本体に固定され、他端側が前記前面パネルに固定された、紐、鎖、又はリンク部材からなることを特徴とするものである。
【発明の効果】
【００１３】
本発明においては、消火栓装置の前面側に設けた消火栓扉に加えて前面パネルを、その下辺を支点として前方に傾動可能に構成すると共に、前記前面パネルが本体の開口を閉鎖した状態を保持し、かつ該保持を解除可能に設けられた前面パネル保持機構と、前記前面パネルが下辺を支点として所定の角度で傾動した状態を保持する傾動状態保持機構を有し、ホースバケットは、ホースバケット収納部に前記本体の奥行き方向移動可能に設置され、前記前面パネルが解放されたときに前記本体の前面側に移動可能に構成されていることにより、消火栓装置を監視員通路内に埋め込んで設置した場合において、消火栓装置の前面で火災が発生する等して消火栓装置の前面側から消火栓扉を開けることができない状況でも、前記前面パネルを前方に傾動させて前記前面パネルと本体との間に形成される隙間から消火ノズルを取り出して消火活動ができる。しかも、前面パネルを傾動させたときにホースバケットが本体の前面側に移動可能になっているので、ホースの引き出し時に本体の天板等と干渉しにくくなっており、スムーズなホースの引き出しができる。
【図面の簡単な説明】
【００１４】
【図１】本発明の一実施の形態に係る消火栓装置の正面図である。
【図２】図１に示した消火栓装置の前傾式扉を開けた状態を示す図である。
【図３】図１に示した消火栓装置の平面図である。
【図４】図１に示した消火栓装置の側面図である。
【図５】図１に示した消火栓装置の本体に収納されるホースバケットの説明図であり、図５（ａ）は正面図、図５（ｂ）は図５（ａ）の矢視Ａ−Ａ断面図、図５（ｃ）は図５（ａ）の矢視Ｂ−Ｂ断面図である。
【図６】図１に示した消火栓装置の前面パネルを前方に傾動させた状態を示す図である。
【図７】図１に示した消火栓装置の設置例を示す図である。
【図８】図７の一部を拡大して示す図である。
【発明を実施するための形態】
【００１５】
本実施の形態に係る消火栓装置１は、図１〜図４に示すように、ホースバケット収納部３を有する本体５と、ホースバケット収納部３に収納されたホースバケット７と、本体５の前面に設けられた傾動可能な前面パネル９と、前面パネル９に設けられた消火栓扉に相当する前傾式扉１１とを備えている。
本明細書において「前面」「背面」は、図７、図８に示すように、消火栓装置１を監視員通路５３内に埋め込むように設置した状態において、車道５５側を前面、トンネル５１の壁面側を背面としている。また、前面側から背面側に至る方向を奥行き方向としている。
以下、各構成を詳細に説明する。
【００１６】
＜本体＞
本体５は、図１〜図４に示すように、前面が開口した矩形の箱状の筺体からなり、本体５内にはホースバケット７を収納するホースバケット収納部３が設けられている。また、本体５内には、ホースバケット収納部３の図中右側に、消火栓弁や自動調圧弁を有する配管系統１３が設けられている。配管系統１３は、先端側がホース１５の基端側と接続されるとともに、基端側が図示しない給水源に接続されている。
また、図１〜図４に示すように、本体５の図中左側には、消火器１７を収納するための消火器収納部１９が設けられている。
【００１７】
《ホースバケット収納部》
ホースバケット収納部３は、前傾式扉１１の背面側に設けられている。なお、本体５の奥行き長さがホースバケット７の奥行き長さよりも長いため、ホースバケット７を収納した状態では、図３、図４に示すように、ホースバケット７の前方に空間が形成されるようになっている。つまり、消火活動を行わない状態では、ホースバケット７はホースバケット収納部３の背面寄りの位置に収納されている。
【００１８】
＜ホースバケット＞
ホースバケット７は、図５に示すように、矩形状の底板２１と、底板２１と同様に矩形状の天板２３と、底板２１と天板２３を連結する柱材２５と、柱材２５の高さ方向中程に設けられて断面がコ字状の側板２７とを備えている。柱材２５は、底板２１及び天板２３の前面側と背面側にそれぞれ２本、合計で４本設けられている。これによって、底板２１、天板２３、柱材２５及び側板２７に囲まれた空間が形成され、この空間にホース１５が例えば内巻きされている。
【００１９】
ホースバケット７は、前述したように、ホースバケット収納部３の背面寄りの位置に収納されているが、ホースバケット収納部３内をスライドして前面側に移動可能になっている。
なお、ホースバケット７の移動を円滑にするために、ホースバケット収納部３の底面を前面側に向かって下り傾斜となる傾斜面にしたり、ホースバケット７の底面をガイドするレールをホースバケット収納部３に設けたり、あるいはホースバケット７の底面に車輪を設けたりしてもよい。
【００２０】
＜前面パネル＞
前面パネル９は、本体５の開口を覆うように設けられ、本体５におけるホースバケット収納部３に対応する位置に前傾式扉１１が取り付けられ、また前面パネル９の図中左側には消火器扉２９が開閉可能に設けられている。
前面パネル９の下辺には蝶番３１が設けられており、前面パネル９は下辺を支点として前方に傾動可能に構成されている。
【００２１】
また、前面パネル９の上部には、前面パネル９が本体５の前面開口の閉鎖状態を保持し、また該保持を解除可能に設けられた前面パネル保持機構としてのパネル開閉レバー３３が設けられている。
パネル開閉レバー３３における本体５の内部側には、前面パネル９と係止する係止部（図示なし）が設けられ、該係止部は前面パネル９が閉止状態では前面パネル９と係止して前面パネル９の閉止状態を保持する。パネル開閉レバー３３を回動させることで、前記係止が外れて前面パネル９は前方側に傾動可能になる。
【００２２】
また、前面パネル９には、前面パネル９を所定の傾動角度で保持する傾動状態保持機構３５が設けられている（図６参照）。なお、傾動状態保持機構３５としては、図６に示すように、一端側が本体５に固定され、他端側が前面パネル９に固定された鎖でもよいし、鎖に代えて、例えば紐、又はリンク部材等でもよい。また、本発明の傾動状態保持機構は別部材を設けることなく蝶番３１の回動範囲が規制されるような構造であってもよい。
なお、所定の傾動角度としては、操作レバー３７を操作することができ、かつ本体５内部の消火ノズル３９を取り出すことができる隙間が形成できる程度とし、傾動角度が大きすぎると車道５５側（図７参照）に突出して邪魔になるので、４５°程度を上限とするのが望ましい。
【００２３】
また、前面パネル９には、一端が前面パネル９に他端がホースバケット７にそれぞれ連結されて、前面パネル９が傾動するときにホースバケット７を引っ張る牽引手段としての鎖４１が設けられている。
なお、牽引手段の態様としては、鎖４１に限られず、例えば紐、又はリンク部材等でもよい。また、前面パネル９とホースバケット７は常に連結されている必要はなく、前面パネル９との傾動時に連結されるような態様でもよい。また、鎖４１が本発明の傾動状態保持機構を兼用してもよく、この場合、ホースバケット７が所定の位置よりも前面側に移動しないようにストッパーを設けるなどしておけば、前面パネル９の傾動角度を所定の範囲内に収めることができる。
【００２４】
＜前傾式扉＞
前傾式扉１１は板状の金属板から構成された横長の矩形状をしており、下辺両端に回動軸（蝶番４３）が設けられ、図１に示す閉鎖状態から、図２に示すように、略１８０°開くことができる。
前傾式扉１１の背面側には、消火ノズル３９を着脱可能に固定するノズル固定部４５及び、ホース１５に消火水を供給する消火水供給管路に設けられた消火栓弁（図示なし）を開閉操作する操作レバー３７が設けられている。
なお、前傾式扉１１におけるノズル固定部４５に対応する箇所は透明なアクリル板が設置されており、前傾式扉１１の背面側に着脱可能に固定されている消火ノズル３９が見える。
【００２５】
《ノズル固定部》
ノズル固定部４５は、ホース１５の収納時において、ホース１５の先端に設けられた消火ノズル３９を固定するものであり、例えば、ノズルキャッチャーと言われるＣ型の係止片４５ａによって構成されている。そして、図２に示すように、消火ノズル３９を、その軸芯方向が前傾式扉１１の幅方向と略平行となるように固定している。
【００２６】
以上のように構成された本実施の形態の消火栓装置１の設置方法及び使用方法について説明する。
図７、図８は消火栓装置１を監視員通路５３内に埋め込むようにして設置した場合の態様を説明する説明図であり、図７はトンネル５１の軸直交断面の半分を模式的に図示しており、図８は図７の一部を拡大して示している。
消火栓装置１の本体５は、監視員通路５３内に設置すると共に、消火栓装置１から消火栓弁と自動調圧弁と自動排水弁が一体化した消火栓弁ユニット５７を本体５の外部に取り出し、車道５５の下方の下部空間５９に配置し、配水本管６１の分岐管に消火栓弁の一次側を接続し、自動調圧弁の二次側と本体５内の配管系統１３をフレキシブルホース６３で接続するようにしている。
【００２７】
消火栓装置１の近傍の車道５５側で火災が発生した場合、消火栓装置１の正面において作業が可能な状態の場合には、操作者は、車道５５側から前傾式扉１１を前面側（車道５５側）に倒して開扉し、前傾式扉１１が図２の略１８０°回転した状態にする。
【００２８】
そして、操作者は、操作レバー３７を操作して消火栓弁を開放することでホース１５に消火水を供給するとともに、消火ノズル３９をノズル固定部４５から外して、ホース１５を火災のある方向に引き出して消火活動を行う。
【００２９】
消火栓装置１の真正面直近で火災が発生した場合や、消火栓装置１の本体５のすぐ前に車が停車している場合には正面側からは前傾式扉１１を開けることができずホース１５を引き出すことができない事態が想定される。
この場合、操作者は、監視員通路５３上からパネル開閉レバー３３を操作して、前面パネル９の保持状態を解除して前面パネル９を傾動させて開扉する。このとき、図６に示すように、ホースバケット７が鎖４１に引っ張られて前面側に移動する。前面パネル９が開扉されて所定の傾動角度で保持された状態では、操作レバー３７が前面パネル９の内側に確認することができる。操作者は、上側から本体５内に手を入れて、操作レバー３７を操作して消火栓弁を開放することでホース１５に消火水を供給するとともに、消火ノズル３９をノズル固定部４５から外して、ホース１５を火災のある方向に引き出して消火活動を行う。
【００３０】
ホース引出しの際、仮にホースバケット７が図４に示すようにホースバケット収納部３の背面寄りに配置されていた場合、ホース１５を上方に引き出したときにホース１５が本体５の天板と干渉することが想定されるが、本実施の形態では、ホースバケット７が前面側に移動しているので、上記のように干渉することなく円滑な引出しができる。
【００３１】
以上のように、本実施の形態の消火栓装置１によれば、消火栓装置１を監視員通路５３内に埋め込むように設置した場合において、消火栓装置１の正面で火災が発生等して消火栓装置１の正面側から前傾式扉１１を開けることができない状況でも、前面パネル９を傾動させて消火ノズル３９を取り出して円滑な消火活動ができる。そのため、火災現場に最も近い位置にある消火栓装置１を迅速に活用することができ、火災の拡大を防止できる。
【００３２】
なお、上記の説明では、前面パネル保持機構の例としてパネル開閉レバー３３を例示したが、前面パネル保持機構はこれに限られるものではなく、要するに前面パネル９が本体５の開口１７を閉鎖した状態を保持し、かつ該保持を解除可能に設けられたものであれば例えば押ボタン等の他の態様であってもよい。
また、前面パネル保持機構は、１個（１カ所）に限定されず、複数箇所であってもよい。
【００３３】
また、上記の前面パネル９は、本体５の前面の全体を覆うものであったが、消火器収納部１９の前面側を覆う部分を別パネルとして、ホースバケット収納部３の前面側のみが傾動するような態様にしてもよい。
また、上記の説明において蝶番３１は前面パネル９の下辺に設けられているが、前面パネル９を下辺付近で上下２段に分割する場合には、この分割部（上段側の下辺）に蝶番３１を設ければよい。
【００３４】
また、上記の説明では、前面パネル９を傾動させて本体５内に操作者が手を入れて操作レバー３７を操作する例を示したが、例えば消火ノズル３９に操作ボタンを消火栓弁操作部として取り付け、消火栓弁を電動弁とし、無線により電動弁を遠隔操作で開閉できるようにしておけば、消火ノズル３９を取り出すだけでよく、より迅速な消火活動ができる。
【００３５】
また、ノズル固定部４５と操作レバー３７とを前傾式扉１１の背面側に配置する例を示したが、前面パネル９を傾動させた状態で操作者が消火ノズル３９を取り出せ、消火栓弁操作部を操作できればよく、これらを前傾式扉１１などの消火栓扉の背面側以外に配置してもよい。
例えば、前面パネル９を傾動させた状態で操作可能な本体５の内部に配置してもよいし、ホースバケット７に配置してもよい。また、上述したとおり、消火ノズル３９に操作ボタンを設け、無線操作にて消火栓弁を開閉できるようにしてもよい。
【００３６】
また、ノズル固定部４５を上方に移動可能しておき、前面パネル９を傾動させたときにノズル固定部４５を上動させるようにすれば、消火ノズル３９の取り外しが容易になる。この場合、ノズル固定部４５を上方に付勢すると共に、前面パネル９が本体５の開口を閉止している状態ではノズル固定部４５の上動を規制し、前面パネル９が傾動したときに前記規制が解除されてノズル固定部４５が上動するようにしてもよい。このようにすれば、消火ノズル３９の取り外しがさらに容易になる。
【００３７】
また、前面パネル９の傾動にホースバケット７の前面側への移動を連動させる態様として、牽引手段を用いることに限られず、ホースバケット７を前面側に移動させる方向に付勢する例えばバネ等の付勢手段と、前面パネル９が本体５の開口を閉鎖している状態ではホースバケット７の前面側への移動を規制し、前面パネル９が傾動したときにホースバケット７の前面側への移動の規制を解除する移動規制手段とによって構成してもよい。また、他にも本体５の内面底部に前面側が低くなるような傾斜を設け、ホースバケット７の底面に車輪を設ける等して、前面パネル９が開放してホースバケット７の前面側への移動の規制が解除されることでホースバケット７が移動するようにしてもよい。
【００３８】
さらに、本発明は前面パネル９が傾動した際にホースバケット７が前面側に移動できればよく、かならずしも前面パネル９の傾動と連動する必要はなく、連動しない場合には、操作者が手動でホースバケット７を前面側に移動させればよい。このとき、ホースバケット７の底面に車輪を設けるなど、移動可能としておいてホース１５を引き出す力によってホースバケット７が前面側に移動するようにしてもよい。
【００３９】
また、上記の説明では、前面側の消火栓扉として前傾式扉１１を例に挙げて説明したが、消火栓扉としては左右方向にスライドするスライド扉、上辺側を軸として回動する跳ね上げ式の扉、下方に落下する落下式扉など、その他の開閉方法による扉であってもよい。
【００４０】
また、上記の説明では、消火器１７については特に言及していないが、例えば消火器１７を載置する載置台を上述のホースバケット７と同様に前面側に移動可能に構成してもよい。この場合、消火器載置台について、上述のホースバケット７の各態様と同様の態様を適用することができる。このときも消火器収納部１９の前面側を覆う部分を別パネルとして、ホースバケット収納部７の前面側と消火器収納部１９の前面側とを前面パネルについても別々に開放可能としても良い。
【符号の説明】
【００４１】
１  消火栓装置
３  ホースバケット収納部
５  本体
７  ホースバケット
９  前面パネル
１１  前傾式扉
１３  配管系統
１５  ホース
１７  消火器
１９  消火器収納部
２１  底板
２３  天板
２５  柱材
２７  側板
２９  消火器扉
３１  蝶番
３３  パネル開閉レバー
３５  傾動状態保持機構
３７  操作レバー
３９  消火ノズル
４１  鎖
４３  蝶番
４５  ノズル固定部
４５ａ  係止片
５１  トンネル
５３  監視員通路
５５  車道
５７  消火栓弁ユニット
５９  下部空間
６１  配水本管
６３  フレキシブルホース
【図１】
2018187015.tif 000003
【図２】
2018187015.tif 000004
【図３】
2018187015.tif 000005
【図４】
2018187015.tif 000006
【図５】
2018187015.tif 000007
【図６】
2018187015.tif 000008
【図７】
2018187015.tif 000009
【図８】
2018187015.tif 000010